(57)【要約】【課題】容器を気密性の高い構造のものにすることなく、オゾンガスが容器から漏洩することを防止することを課題とする。【解決手段】オゾンガスを容器２内に供給して、容器２内の原水にオゾンガスを溶解させてオゾン水を生成するように構成される、オゾン水生成装置１であって、容器２は、開口部９を備えるものであり、オゾン分解触媒７と排気ファン８とを備え、容器２の開口部９に配置されて、容器２内における原水に溶解されないオゾンガスを排気ファン８で吸引するとともにオゾンガス分解触媒７で酸素に分解して容器２の開口部９から排気するように構成される、オゾンガス処理ユニット６を具備するものである。【選択図】図１
2014168756.tif 000002
【特許請求の範囲】
【請求項１】
オゾンガスを容器内に供給して、前記容器内の原水にオゾンガスを溶解させてオゾン水を生成するように構成される、オゾン水生成装置であって、
前記容器は、開口部を備えるものであり、
オゾン分解触媒と排気ファンとを備え、前記容器の開口部に配置されて、前記容器内における原水に溶解されないオゾンガスを前記排気ファンで吸引するとともに前記オゾンガス分解触媒で酸素に分解して前記容器の開口部から排気するように構成される、オゾンガス処理ユニットを具備する、
オゾン水生成装置。
【請求項２】
前記容器の開口部は、容器内に原水を注入する注入口として構成される、
請求項１に記載のオゾン水生成装置。
【発明の詳細な説明】
【技術分野】
【０００１】
従来、オゾン水を生成する技術は、種々知られている。
オゾン水とは、水にオゾン（Ｏ３）が溶解されてなるものである。
このようなオゾン水を生成する技術として、容器と、オゾンガス発生装置と、を備え、オゾンガス発生装置で発生させたオゾンガスを容器内に供給して、容器内の原水にオゾンガスを溶解させてオゾン水を生成するように構成される、オゾン水生成装置が公知となっている（特許文献１参照）。
【先行技術文献】
【特許文献】
【０００２】
【特許文献１】特開２００８−１１４１０１号公報
【発明の概要】
【発明が解決しようとする課題】
【０００３】
しかしながら、前記オゾン水生成装置では、オゾンガス発生装置から容器に供給されたオゾンガスの中には、原水（またはオゾン水）に溶解されずに容器内に存在するものがある。
そして、前記オゾン水生成装置では、前記原水に溶解されずに容器内に存在するオゾンガスが容器から漏洩することは好ましくないことから、容器を気密性が高い繁雑な構造（密閉構造）のものにして、当該オゾンガスが容器から漏洩することを防止していた。
【０００４】
本発明は以上の如き状況に鑑みてなされたものであり、容器を気密性の高い構造のものにすることなく、オゾンガスが容器から漏洩することを防止することを課題とする。
【課題を解決するための手段】
【０００５】
本発明の解決しようとする課題は以上の如くであり、次にこの課題を解決するための手段を説明する。
【０００６】
即ち、請求項１においては、オゾンガスを容器内に供給して、前記容器内の原水にオゾンガスを溶解させてオゾン水を生成するように構成される、オゾン水生成装置であって、
前記容器は、開口部を備えるものであり、オゾン分解触媒と排気ファンとを備え、前記容器の開口部に配置されて、前記容器内における原水に溶解されないオゾンガスを前記排気ファンで吸引するとともに前記オゾンガス分解触媒で酸素に分解して前記容器の開口部から排気するように構成される、オゾンガス処理ユニットを具備するものである。
【０００７】
請求項２においては、前記容器の開口部は、容器内に原水を注入する注入口として構成される、ものである。
【発明の効果】
【０００８】
本発明の効果として、以下に示すような効果を奏する。
【０００９】
即ち、本発明によれば、容器を気密性の高い構造のものにすることなく、オゾンガスが容器から漏洩することを防止することができる。
【図面の簡単な説明】
【００１０】
【図１】本発明の実施形態に係るオゾン水生成装置の全体的な構成を示した模式図。
【図２】同じくオゾン水生成装置のオゾンガス処理ユニットを示した斜視図。
【図３】同じくオゾン水生成装置の内部を示した模式図。
【図４】同じく別実施例のオゾン水生成装置を示した模式図。
【発明を実施するための形態】
【００１１】
次に、図１から図４に記載のオゾン水生成装置１について説明する。
【００１２】
オゾン水生成装置１は、オゾンガスを容器２内に供給して、容器２内の原水またはオゾン水にオゾンガスを溶解させてオゾン水を生成するように構成される。
ここで、オゾン水とは、水にオゾン（Ｏ３）が溶解されてなるものである。
オゾン水生成装置１は、図１または図３に示すように、容器２と、オゾンガス発生装置３と、供給管４と、供給器５と、オゾンガス処理ユニット６と、導入口７と、を具備して構成される。
【００１３】
オゾン水生成装置１の容器２は、樹脂素材（プラスチック素材）またはＳＵＳ素材からなる上壁および底壁を有する略円筒状に形成されるものであり、内部に原水またはオゾン水が溜められるように構成される。容器２は、例えば５００Ｌの原水またはオゾン水が溜められるように構成される。容器２は、例えば５００Ｌの原水またはオゾン水が溜められた状態で、その液面と容器２の上壁の内面との間に所定の空間（容器２内に原水またはオゾン水が溜められていない空間）が形成されるように構成される。
容器２は、突出部８と、開口部９と、を備える。
【００１４】
オゾン水生成装置１の容器２の突出部８は、容器２の上壁から上方に突出するように形成される。容器２の突出部８は、上壁および底壁を有さない円筒状に形成されて、容器２外と容器２内とが突出部８を介して連通するように構成される。
容器２の突出部８における上端の開口は、容器２の開口部９として構成される。容器２の開口部９は、平面視正円状に形成される。
【００１５】
オゾン水生成装置１のオゾンガス発生装置３は、濃縮酸素を原料としてオゾンガスを発生するように構成される。
オゾン水生成装置１の供給管４は、その一端にオゾンガス発生装置３が接続され、その他端に供給器５が接続されて構成される。
オゾン水生成装置１の供給器５は、容器２（容器２内の原水またはオゾン水）内に配置され、オゾンガス発生装置３において発生させて供給管４を介して供給されるオゾンガスを容器２（容器２内の原水またはオゾン水）内においてバブル状にして供給するように構成される。
そして、オゾン水生成装置１は、オゾンガス発生装置３において発生させたオゾンガスを供給管４および供給器５を介して容器２内に供給して、容器２内の原水またはオゾン水に当該オゾンガスを溶解させてオゾン水を生成する（容器２内のオゾン水のオゾン濃度を上昇させる）ように構成される。
【００１６】
オゾン水生成装置１のオゾンガス処理ユニット６は、容器２（容器２の突出部８）に取付けられる。オゾンガス処理ユニット６は、容器２の開口部９の上方に配置される。
オゾンガス処理ユニット６は、オゾン分解触媒１０と、排気ファン１１と、取付部１２と、フード１３と、を備えて構成される。
【００１７】
オゾン水生成装置１のオゾンガス処理ユニット６の取付部１２は、容器２の突出部８に取付けられる部分である。
オゾンガス処理ユニット６の取付部１２は、上壁および底壁を有さない円筒状に形成される。
オゾンガス処理ユニット６の取付部１２は、その軸心方向の長さが、容器２の突出部８の軸心方向の長さと略同一（容器２の突出部８の軸心方向の長さよりも若干大きく）形成されて構成される。
オゾンガス処理ユニット６の取付部１２は、その内径が容器２の突出部８の外径と略同一（容器２の突出部８の外径よりも若干大きく）形成されて構成される。
オゾンガス処理ユニット６の取付部１２は、容器２の突出部８の外側に位置して（容器２の突出部８が嵌挿されるようにして）容器２の突出部８に取付けられるように構成される。
【００１８】
オゾン水生成装置１のオゾンガス処理ユニット６は、その取付部１２が容器２の突出部８に固定されて、容器２に取付けられるように構成される。
オゾンガス処理ユニット６は、例えば、容器２の突出部８の外面とオゾンガス処理ユニット６の取付部１２の内面とにそれぞれネジ山またはネジ溝が形成されて、オゾンガス処理ユニット６の取付部１２が容器２の突出部８に螺合されることによって固定されて、容器２に取付けられるように構成される。
【００１９】
オゾン水生成装置１のオゾンガス処理ユニット６は、オゾン分解触媒１０と排気ファン１１とフード１３とが取付部１２の上方に載置されるように配置されて構成される。オゾンガス処理ユニット６は、オゾン分解触媒１０が平面視で取付部１２を横断するように配置されて構成される。オゾンガス処理ユニット６は、排気ファン１１がフード１３に覆われるとともに、排気ファン１１とフード１３とがオゾン分解触媒１０の上方に配置されて構成される。
オゾンガス処理ユニット６は、オゾン分解触媒１０（および排気ファン１１）と取付部１２の内面（取付部１２の上端内側縁部）との間に所定の空間（隙間）が形成されるように、オゾン分解触媒１０と排気ファン１１とが配置されて構成される。
【００２０】
オゾン水生成装置１のオゾンガス処理ユニット６は、排気ファン１１を動作させることによって容器２内（容器２に溜められたオゾン水の液面と蓋部材２０との間に所定の空間）を負圧にして、容器２内のオゾンガス（容器２内における原水またはオゾン水に溶解されない前記所定の空間に存在するオゾンガス）を排気ファン１１で吸引するとともにオゾン分解触媒１０で酸素に分解して容器２の開口部９から容器２外に排気するように構成される（図３参照）。
【００２１】
オゾン水生成装置１の導入口７は、容器２外から容器２内に新気（容器２外の気体）を導入するときの、前記新気の流通口である。
オゾン水生成装置１のオゾンガス処理ユニット６は、導入口７が形成されるように容器２の開口部９の上方に配置される。
オゾン水生成装置１では、オゾンガス処理ユニット６のオゾン分解触媒１０（および排気ファン１１）と取付部１２の内面との間に所定の空間（隙間）が形成されるため、オゾンガス処理ユニット６が容器２の開口部９の上方に配置された状態では、前記オゾンガス処理ユニット６のオゾン分解触媒１０（および排気ファン１１）と取付部１２の内面との間に所定の空間（および容器２の開口部９の一部）を介して容器２外と容器２内とが連通するように構成される。
オゾン水生成装置１では、前記オゾンガス処理ユニット６のオゾン分解触媒１０（および排気ファン１１）と取付部１２の内面との間に所定の空間は、オゾン水生成装置１の導入口７として構成される。
オゾン水生成装置１は、オゾンガス処理ユニット６の排気ファン１１で容器２内における原水またはオゾン水に溶解されないオゾンガスを吸引したときに、容器２内（容器２に溜められたオゾン水の液面と蓋部材２０との間に所定の空間）が負圧になって、導入口７を介して容器２外から容器２内に新気（容器２外の気体）が導入されるように構成される（図３参照）。
【００２２】
以上のように、オゾン分解触媒１０と排気ファン１１とを備え、容器２の開口部９に配置されて、容器２内における原水またはオゾン水に溶解されないオゾンガスを排気ファン１１で吸引するとともにオゾン分解触媒１０で酸素に分解して容器２の開口部９から排気するように構成されるオゾンガス処理ユニット６を具備する、オゾン水生成装置１では、容器２内における原水に溶解されないオゾンガスが酸素に分解されて容器２の開口部９から容器２外に排気されることとなる。
したがって、オゾン水生成装置１によれば、容器２を気密性の高い構造のものにすることなく（簡易な構造で）、オゾンガスが容器２から漏洩することを防止することができる。
【００２３】
オゾン水生成装置１の容器２の開口部９は、容器２内に原水を注入する注入口として構成される。
このように、容器２の開口部９が容器２内に原水を注入する注入口として構成される、オゾン水生成装置１では、容器２の注入口（開口部９）にオゾンガス処理ユニット６が配置されて容器２からオゾンガスが漏洩することを防止することができるものが構成される。
したがって、オゾン水生成装置１によれば、容器２からオゾンガスが漏洩することを防止することができるものを簡易に実現することができる。
また、オゾン水生成装置１によれば、容器２の注入口（開口部９）にオゾンガス処理ユニット６が配置されて容器２からオゾンガスが漏洩することを防止することができるものが構成されるため、注入口を有する汎用容器（容器２）を用いて（専用容器を用いることなく）オゾン水生成装置１を構成することもできる。
【００２４】
オゾン水生成装置１では、キャプを取付けて注入口（開口部９）に蓋をすることができる汎用容器（容器２）を用いた場合には、容器２へのオゾンガス処理ユニット６の取付仕様を、前記汎用容器（容器２）へのキャップの取付仕様と同様にすることもできる。例えば、汎用容器（容器２）へのキャップの取付仕様がその突出部８へキャップを螺合して注入口に蓋をするものであった場合には、オゾンガス処理ユニット６の取付部１２を同様に前記突出部８に螺合して容器２へオゾンガス処理ユニット６を取付るようにする。
このように、オゾン水生成装置１では、容器２の突出部８へのオゾンガス処理ユニット６の取付部１２の取付仕様を前記汎用容器（容器２）の注入口へのキャップの取付仕様と同様にすることにより、オゾンガス処理ユニット６が容器２の突出部８へ取付けられた状態から、容器２の突出部８にキャップが取付けられた状態（容器２の開口部９に蓋をした状態）に代える作業を、容易に行うことができる。
またこのように、オゾン水生成装置１では、容器２の突出部８へのオゾンガス処理ユニット６の取付部１２の取付仕様を前記汎用容器（容器２）の注入口へのキャップの取付仕様と同様にすることにより、オゾンガス処理ユニット６を容器２に固定して取付けることができるものを簡易な構造で実現するこことができる。
【００２５】
オゾン水生成装置１の導入口７は、導入口７を介して供給器５（供給管４の他端）を容器２内に配置可能に構成される。
このように、オゾン水生成装置１では、導入口７を介して供給器５を容器２内に配置可能に導入口７が構成されるため、オゾンガス処理ユニット６を容器２に配置した状態で供給器５を容器２内に配置することができ、供給器５の容器２内への配置を容易に行うことができる。
【００２６】
オゾン水生成装置１では、オゾンガス処理ユニット６とともにオゾンガス発生装置３を容器２（容器２の突出部８）に取付けることもできる。このとき、オゾンガス発生装置３は、容器２の開口部９の上方に配置される（図４参照）。
このように、オゾンガス処理ユニット６とともにオゾンガス発生装置３が容器２（容器２の突出部８）に取付けられることにより、オゾン水生成装置１の全体的な構成をコンパクトにすることができる。
【符号の説明】
【００２７】
１  オゾン水生成装置
２  容器
３  オゾンガス発生装置
４  供給管
５  供給器
６  オゾンガス処理ユニット
７  導入口
８  突出部
９  開口部
１０  オゾン分解触媒
１１  排気ファン
１２  取付部
【図１】
2014168756.tif 000003
【図２】
2014168756.tif 000004
【図３】
2014168756.tif 000005
【図４】
2014168756.tif 000006